(57)【特許請求の範囲】
【請求項１】
諸事項を表示し得る表示部と、その表示部を被表示体に取り付けるため、前記被表示体に巻き付けられる取付紐と、巻き付けられた前記取付紐がその先端から挿通されて係止される係止孔部と、前記取付紐と前記表示部とを連結するための連結部材とを備え、
前記連結部材は、前記表示部側が、前記係止孔部の左右両側方の各々に分かれた連結片を備えることで、
各々の前記連結片が、前記取付紐と前記表示部との連結を保持して、前記被表示体に対する前記取付紐の巻き付け方向を一の方向に協同で維持するとともに、これら連結片のうち一方の連結片につき前記取付紐と前記表示部との連結を断つことで、前記協同による維持状態を解除して、前記表示部の表示向きを変えることなく、前記取付紐の巻き付け方向を他の方向に変えることが可能となっていることを特徴とする表示札。
【請求項２】
前記表示部の端縁に、前記係止孔部を備える、係止部が突設され、かつ、この係止部の左右両側部の各々に、前記連結片がつながる連結部を備えることを特徴とする請求項１に記載の表示札。
【請求項３】
前記取付紐は、帯状に形成されてなり、
前記係止孔部は、スリット状に貫通形成された、第１係止孔と第２係止孔とを備え、
これら第１係止孔と第２係止孔とは、一方が縦方向に、他方が横方向に延びるよう開けられていることを特徴とする請求項１または２に記載の表示札。
【請求項４】
前記連結片は、可撓性、弾性あるいは柔軟性を有していることを特徴とする請求項１ないし３のいずれか１項に記載の表示札。
【発明の詳細な説明】
【０００１】
【発明の属する技術分野】
この発明は、例えば、電線管・流体管等の種々の管やケーブル、ボックス、その他種々の配線・配管用資材等に取り付けられ、前記資材等にその用途、配線・配管先、種々の覚書、その他必要な諸事項を表示させるために使用する表示札に関するものである。
【０００２】
【従来の技術】
従来、この種の表示札２１としては、例えば、図１９に示すものが知られていた。この表示札２１は、諸事項を表示し得る、ほぼ矩形状の表示プレート２２と、その表示プレート２２の上端縁から外方へと延出される取付紐２３とが、軟質の合成樹脂材料により一体に成形されてなり、前記表示プレート２２の上端縁の、前記取付紐２３とつながる部位の近傍には、取付紐２３が先端から挿通されて係止される、係止孔部２４が設けられていた。
【０００３】
そして、表示札２１は、その取付紐２３を、ケーブル等の被表示体（図示せず）に巻き付けて、その先端から係止孔部２４に挿通し、さらに被表示体（図示せず）を締め付けるよう前記先端を引張ることで、被表示体（図示せず）に締め付け固定された。
【０００４】
【発明が解決しようとする課題】
ところで、従来の表示札２１は、例えば、表示プレート２２への表示を縦書に記載した場合、ケーブル等の被表示体（図示せず）が水平方向に配置されていれば、表示プレート２２が縦向きとなって前記表示札２１が前記被表示体（図示せず）に締め付け固定されるため、前記表示は正しい向きとなり、その読み取りは容易である。しかしながら、ケーブル等の被表示体（図示せず）が鉛直方向に配置されていれば、表示プレート２２が横向きとなって前記表示札２１が前記被表示体（図示せず）に締め付け固定されてしまうため、前記表示は正しい向きとならず、その読み取りは容易でなかった。
【０００５】
このため、従来の表示札２１にあっては、被表示体（図示せず）の配置方向を確認し、その取付状態において前記表示が正しい向きとなるよう、表示プレート２２への表示の仕方（例えば、文字を縦書とするか横書とするか等）を考慮する必要があり、面倒であった。
【０００６】
この発明は、上記した従来の欠点を解決するためになされたものであり、その目的とするところは、被表示体の配置方向とか表示の仕方にかかわりなく、表示が正しい向きとなり得るように、前記被表示体に取付け可能な、表示札を提供することにある。
【０００７】
【課題を解決するための手段】
この発明に係る表示札は、前記目的を達成するために、次の構成からなる。すなわち、
請求項１に記載の発明に係る表示札は、諸事項を表示し得る表示部と、その表示部を被表示体に取り付けるため、前記被表示体に巻き付けられる取付紐と、巻き付けられた前記取付紐がその先端から挿通されて係止される係止孔部と、前記取付紐と前記表示部とを連結するための連結部材とを備える。そして、前記連結部材は、前記表示部側が、前記係止孔部の左右両側方の各々に分かれた連結片を備えている。こうして、前記連結部材は、各々の前記連結片が、前記取付紐と前記表示部との連結を保持して、前記被表示体に対する前記取付紐の巻き付け方向を一の方向に協同で維持するとともに、これら連結片のうち一方の連結片につき前記取付紐と前記表示部との連結を断つことで、前記協同による維持状態を解除して、前記表示部の表示向きを変えることなく、前記取付紐の巻き付け方向を他の方向に変えることが可能となっている。これにより、被表示体が配置される方向および表示部への文字、図形等の表示の仕方に応じて、被表示体に対する取付紐の巻き付け方向を、一の方向で維持するか、あるいは、表示部の表示向きを変えることなく、他の方向に変えるかを選択して、前記取付紐を、被表示体に巻き付けることにより、その被表示体に表示札を取り付ける。よって、例えば、水平方向あるいは鉛直方向に配置されるいずれの被表示体に対しても、表示部に表示される文字、図形等の向きを、正しい向きとなすことができる。
【０００８】
【０００９】
さらに、請求項２に記載の発明に係る表示札は、前記表示部の端縁に、前記係止孔部を備える、係止部が突設され、かつ、この係止部の左右両側部の各々に、前記連結片がつながる連結部を備えることを特徴とする。
【００１０】
また、請求項３に記載の発明に係る表示札のように、前記取付紐は、帯状に形成されてなり、前記係止孔部は、スリット状に貫通形成された、第１係止孔と第２係止孔とを備え、これら第１係止孔と第２係止孔とは、一方が縦方向に、他方が横方向に延びるよう開けられているのが望ましい。これにより、被表示体の配置方向に対応して、取付紐の巻き付け方向が一の方向で維持されるとき、取付紐は、例えば、横方向に延びるよう開口している、第１係止孔に挿通されて係止され、また、取付紐の巻き付け方向が、表示部の表示向きを変えることなく、他の方向に変えられるとき、取付紐は、例えば、縦方向に延びるよう開口している、第２係止孔に挿通されて係止される。
【００１１】
また、請求項４に記載の発明に係る表示札のように、前記連結片は、可撓性、弾性あるいは柔軟性を有しているのが望ましい。このような可撓性、弾性あるいは柔軟性を有する連結片を介して連結される取付紐は、被表示体に巻き付けられる際に、前記連結片を引き伸し気味に巻き付けられると、被表示体に対し、強い締め付け力で巻き付けられる。
【００１２】
【発明の実施の形態】
以下、この発明に係る表示札の一実施の形態を図面に基づいて説明する。
【００１３】
図１ないし図１３は、この発明に係る表示札の第一の実施の形態を示す。図中符号１は、表示札の全体を示す。この表示札１は、被表示体２、例えば、ケーブルや管等の種々の配線・配管用資材に取り付けられ、その用途とか配線・配管先、種々の覚書等の必要な諸事項を表示するのに使用される。そして、表示札１は、諸事項を表示し得る表示部３と、その表示部３を被表示体２としてのケーブルや管等に取り付けるため、前記被表示体２に巻き付けられる、例えば、細巾の帯状に形成された取付紐４と、これら取付紐４と表示部３とを連結するための、連結部材５とを備える。また、表示札１は、全体が、例えば、可撓性あるいは弾性を有する合成樹脂で成形されて、無色透明となっている。
【００１４】
前記表示札１は、表示部３の端縁、例えば、その上端縁ほぼ中央に突設される係止部８を備える。この係止部８は、前記被表示体２に巻き付けられた前記取付紐４が、その先端から挿通されて係止される係止孔部６を備えており、かつ、この係止孔部６は、前記表示部３（もしくは係止部８）の表裏方向に貫通するように開けられている。また、係止孔部６は、４つの爪部９、９を有し、これら爪部９、９の互いの縁部間で形成される間隙において、スリット状に貫通形成された、複数の係止孔、すなわち、第１係止孔６ａと第２係止孔６ｂとを備えている。これら第１係止孔６ａと第２係止孔６ｂとは、互いに一方が他方に対して９０度の角度差をもって延びるように開けられており、図示実施の形態の場合、一方が縦方向に、他方が横方向に延びて、互いに直交するように、例えば、正面視して十字状に開けられている。ここで、前記第１係止孔６ａは、正面視して横方向に延びるよう設けられ、前記第２係止孔６ｂは、正面視して縦方向に延びるよう設けられている。なお、各爪部９は、互いに向き合うその先端が尖がるように、その裏面に前記縁部に向かって下り勾配となる斜面部９ａ、９ａを備えている（図７参照）。
【００１５】
また、前記連結部材５は、前記係止部８を介して、前記取付紐４と前記表示部２との間に掛け渡されるようにして両者を連結する、２つの連結片７、７を備えている。そして、前記係止孔部６の左右両側方に相当する、前記係止孔部６を備える前記係止部８の左右両側部、好ましくは、前記係止孔部６が設けられている高さ位置付近における前記左右両側部の各々に、前記連結片７、７がつながる連結部１７、１７が備わっている。よって、連結片７、７は、その一方側が、前記係止部８の左右両側部の各々に備わる連結部１７、１７につながるとともに、その他方側が、外側にそれぞれ円弧状に膨らみつつ上方に延びて、リング状を形成するようにして、前記取付紐４の基端につながっている。そして、これら連結片７、７は、図示の通り、細巾に形成されていて、それぞれ可撓性あるいは弾性を有し、取付紐４と表示部３との連結を保持することにより、被表示体２に対する取付紐４の巻き付け方向を一の方向に協同で維持している。もっとも、これら連結片７、７のいずれか１つの連結片７は、取付紐４と表示部３との連結を断つことで、前記協同による維持状態を解除するようになっているが、この点に関しては後述する。
【００１６】
そして、前記取付紐４は、その表裏両面に、長手方向に所定の間隔を置いて、多数の突起部４ａ、４ａが設けられている。これら突起部４ａ、４ａは、取付紐４が係止孔部６から簡単に抜けないよう係止を確実にすべく、取付紐４の先端側から基端側に向かう方向に少しずつ厚みが厚くなるよう設けられている。
【００１７】
一方、前記表示部３は、諸事項を表示し得る表示シート１０が宛がわれるシート宛て部１１と、そのシート宛て部１１とほぼ同大に形成されて、シート宛て部１１との間で前記表示シート１０を狭持することが可能なシート被い部１２と、これらシート被い部１２とシート宛て部１１とを連結する左右一対のヒンジ部１３、１３とからなる。そして、シート宛て部１１の内側面部には、周囲を取り囲むようにして突条部１１ａが備わり、その突条部１１ａと凹凸状に嵌め合わされるように、シート被い部１２の内側面部には、周囲を取り囲むようにして凹部１２ａが備わっている。また、シート宛て部１１およびシート被い部１２の各内側面部の、前記ヒンジ部１３、１３から離れた位置にある２つの角部には、凹段部１４、１４が備わっている。そして、シート宛て部１１が備える凹段部１４、１４とシート被い部１２が備える凹段部１４、１４とは、凹部１２ａを突条部１１ａに嵌め合わすことで互いに向き合って、爪や工具等が差し込まれる差込溝１５を形成する。
【００１８】
次に、上記した構成からなる表示札１の使用方法および作用効果を図面に基づいて説明する。まず、表示シート１０の表面に、例えば、被表示体２としてのケーブルの配管先を、「ニＦ倉庫」というように筆記具等で表示する。その際、表示シート１０に表示する文字は、縦書でも横書でも構わず、表示シート１０の形状や文字の種類（例えば、ローマ字による場合は横書が適当である。）等に応じて、作業者が記載し易い向きで表示すればよい。そして、シート宛て部１１の内側面部に前記表示シート１０を宛がい、その宛がわれた表示シート１０の上からシート被い部１２を被せる。次いで、シート被い部１２が備える凹部１２ａをシート宛て部１１が備える突条部１１ａに嵌め合わせ、シート宛て部１１とシート被い部１２との間で表示シート１０を狭持する。この場合、表示シート１０に表示された「ニＦ倉庫」との文字は、シート宛て部１１を通して看者が見得るようにしてもよいし、シート被い部１２を通して看者が見得るようにしてもよい。
【００１９】
そして、表示シート１０を狭持した表示部３は、被表示体２に取り付けられるが、その取付態様には種々のバリエーションがある。最初に、図９に示すように、表示部３に対して文字を縦書に表示した場合において、被表示体２としてのケーブルが水平方向に配置されるときの表示札１の使用方法について説明する。なお、図９ないし図１２において、取付紐４に設けられている突起部４ａ、４ａは、図示を省略する。図９に示す表示札１は、取付紐４を被表示体２としてのケーブルに縦方向に巻き付け、その巻き付けた取付紐４を、その先端から係止孔部６の第１係止孔６ａに、表示部３の裏側から表側へと挿通して係止することで、被表示体２に締め付け固定される。この結果、表示部３に対して縦書で表示された「ニＦ倉庫」との文字の向きは、読み取るのに正しい向きとなる。なお、取付紐４を係止孔部６に係止するには、係止孔部６に挿通された取付紐４の先端を矢印Ｐ方向に引張るだけでよく、これにより、取付紐４に設けられている突起部４ａ、４ａが、係止孔部６が有する爪部９、９の先端に係止されて、取付紐４が係止孔部６から抜けるのが防止される（図１３参照）。このとき、２つの連結片７、７は、それぞれ可撓性あるいは弾性を有するため、これら可撓性あるいは弾性を有する連結片７、７を介して連結される取付紐４は、被表示体２としてのケーブルに巻き付けられる際に、前記連結片７、７を引き伸し気味に巻き付けられると、前記ケーブルに対して、強い締め付け力で巻き付けられ、表示札１は、被表示体２としてのケーブルにしっかりと取り付け固定される。
【００２０】
また、図１０に示すように、表示部３に対して文字を縦書に表示した場合において、被表示体２としてのケーブルが鉛直方向に配置されるときの表示札１は、被表示体２としてのケーブルに取り付ける前に、前記２つの連結片７、７のうちのいずれか１つの連結片７の途中部位の任意箇所を、カッター、ナイフ、はさみ等の切断具で切断して、そのいずれか１つの連結片７が、取付紐４と表示部３との連結を断った状態にして置く。この場合、２つの連結片７、７のうちの、他の連結片７は、取付紐４と表示部３との連結を保持したままである（図８参照）。そして、図１０に示す表示札１は、取付紐４を被表示体２としてのケーブルに横方向に巻き付け、その巻き付けた取付紐４を、その先端から係止孔部６の第２係止孔６ｂに、表示部３の裏側から表側へと挿通して係止することで、被表示体２に締め付け固定される。この結果、表示部３に対して縦書で表示された「ニＦ倉庫」との文字の向きは、読み取るのに正しい向きとなる。
【００２１】
また、図１１に示すように、表示部３に対して文字を横書に表示した場合において、被表示体２としてのケーブルが鉛直方向に配置されるときの表示札１は、取付紐４を被表示体２としてのケーブルに横方向に巻き付け、その巻き付けた取付紐４を、その先端から係止孔部６の第１係止孔６ａに、表示部３の裏側から表側へと挿通して係止することで、被表示体２に締め付け固定される。この結果、表示部３に対して横書で表示された「ニＦ倉庫」との文字の向きは、読み取るのに正しい向きとなる。
【００２２】
また、図１２に示すように、表示部３に対して文字を横書に表示した場合において、被表示体２としてのケーブルが水平方向に配置されるときの表示札１は、２つの連結片７、７のうちのいずれか１つの連結片７の途中部位を切断して、取付紐４と表示部３との連結を断った状態として置く。次いで、前記表示札１は、取付紐４を被表示体２としてのケーブルに縦方向に巻き付け、その巻き付けた取付紐４を、その先端から係止孔部６の第２係止孔６ｂに、表示部３の裏側から表側へと挿通して係止することで、被表示体２に締め付け固定される。この結果、表示部３に対して横書で表示された「ニＦ倉庫」との文字の向きは、読み取るのに正しい向きとなる。
【００２３】
このように、前記表示札１が備える連結部材５は、被表示体２に対する取付紐４の巻き付け方向を一の方向で維持するとともに（図９または図１１に示す取付状態を参照）、２つの連結片７、７のうちのいずれか１つの連結片７が、取付紐４と表示部３との連結を断つことで、前記維持状態を解除して、表示部３の表示向きを変えることなく、前記取付紐４の巻き付け方向を他の方向に変えることが可能である（図１０または図１２に示す取付状態を参照）。よって、作業者は、被表示体２が配置される方向および表示部３への文字等の表示の仕方に応じて、被表示体２に対する取付紐４の巻き付け方向を、一の方向で維持するか、あるいは、表示部３の表示向きを変えることなく、他の方向に変えるか選択することができる。そのため、水平方向あるいは鉛直方向に配置されるいずれの被表示体２に対しても、表示部３に表示される文字等の向きは、正しい向きとなすことができる。また、表示部３を被表示体２に取り付けた後、被表示体２の配置方向が、例えば、図９または図１１に示す取付状態から図１０または図１２に示す取付状態へと変更されても、２つの連結片７、７のうちのいずれか１つの連結片７の連結を断つことにより、諸事項が正しく表示されるよう修正が可能である。
【００２４】
また、既述の通り、被表示体２の配置方向が、水平方向であるか、あるいは、鉛直方向であるか、その配置方向に対応して、前記被表示体２に対する取付紐４の巻き付け方向が、前記一の方向、もしくは、前記表示部３の表示向きを変えることなく、前記一の方向と直交する前記他の方向のいずれかに選択される。そして、この取付紐４の巻き付け方向の変更に対応できるように、前記第１係止孔と第２係止孔とは、十字状に互いに直交するように開けられているので、取付紐４の巻き付け方向が一の方向で維持されるとき、取付紐４は、第１係止孔６ａに挿通されて係止され、取付紐４の巻き付け方向が、前記一の方向と直交する他の方向に変えられるとき、取付紐４は、第２係止孔６ｂに挿通されて係止されることとなる。
【００２５】
なお、この発明の係る表示札は、上記した実施の形態に限定されず、その他種々の変更が可能である。例えば、図１４に示す、第二の実施の形態のように、表示札１ａは、諸事項を直接に記載し得る、表示部３としての表示プレートと、被表示体（図示せず）に巻き付けられる丸紐状の取付紐４と、巻き付けられた前記取付紐４がその先端から挿通されて係止される係止孔部６と、前記取付紐４と前記表示部３とを連結する連結部材５とを備える。そして、前記連結部材５は、可撓性あるいは弾性を有する２つの連結片７、７を備え、これら連結片７、７は、表示部３の端縁、すなわち、上端縁の２箇所より上方に湾曲しつつ延びるとともに、取付紐４の基端とつながる部位にて、アーチ状につながるよう形成されている。また、表示部３は、その上端縁のほぼ中央より上方に延出される延出部１６を備え、前記係止孔部６は、前記延出部１６の上部にて、表示部３の表裏方向に貫通し、かつ、円形に開口する一つの係止孔からなる。ここで、前記延出部１６は、柔軟性を有し、図中想像線で示すように、前記延出部１６の延出軸線に対して傾くことができるように、傾動可能に形成されている。そして、前記取付紐４は、係止孔部６への係止を確実にすべく、長手方向に所定の間隔を置いて、多数の拡径突部４ｂ、４ｂを備えている。なお、この表示札１ａは、全体が、例えば、白色等の単一色で色付けられた不透明体からなり、また、軟質合成樹脂とか、合成ゴム、天然ゴム等のゴム材など、柔軟性を有する軟質素材で成形されている。
【００２６】
ここで、表示部３が被表示体（図示せず）に取り付けられるとき、連結部材５が備える２つの連結片７、７は、取付紐４と表示部３との連結を保持することにより、前記被表示体（図示せず）に対する取付紐４の巻き付け方向を一の方向に協同で維持する。一方で、前記連結片７、７のうちのいずれか１つの連結片７が、取付紐４と表示部３との連結を断つことにより、前記協同による維持状態が解除されて、前記表示部３の表示向きを変えることなく、前記被表示体（図示せず）に対する取付紐４の巻き付け方向を他の方向に変えることができる。この際、前記延出部１６は、取付紐４と表示部３との連結を保持している連結片７との間で、互いに相反する方向に引き離されるように傾動することとなる。こうして、この表示札１ａは、既述した第一の実施に形態の表示札１と同様の作用効果を発揮することができる。
【００２７】
また、連結部材は、２つ以上複数の連結片を備えていても構わない。すなわち、連結部材は、取付紐と表示部との連結を保持することにより、被表示体に対する取付紐の巻き付け方向を一の方向に協同で維持する複数の連結片を備え、これら複数の連結片のうち、少なくとも一つの連結片を除いて、他の連結片につき取付紐と表示部との連結を断つことで、前記協同による維持状態を解除するようになっていればよい。例えば、連結部材が、取付紐と表示部との連結を保持することが可能な３つの連結片を備える場合には、これら連結片が、順次に取付紐と表示部との連結を断つことにより、被表示体に対する取付紐の巻き付け方向を、表示部の表示向きを変えることなく、一の方向から他の方向に変えるばかりでなく、さらに別の方向にも変えることができるようになる。
【００２８】
また、連結部材は、被表示体に対する取付紐の巻き付け方向を一の方向で維持するとともに、取付紐と表示部との連結を一部断つことで、前記維持状態を解除して、表示部の向きを変えることなく、取付紐の巻き付け方向を他の方向に変えることが可能であればよく、取付紐と表示部との連結を断つ手段としては、既述したような切断具による切断に限定されない。例えば、連結部材は、複数の連結片のうちのいずれか１つもしくは全ての連結片が、その途中部位にて当初から切断されており、その切断された端部同士を別途所要の連結具によって連結してなる態様であっても構わない。この場合、維持状態を解除するには、切断された端部同士の連結状態を、前記連結具を取り外すことで、断てばよい。
【００２９】
そして、表示部３に表示されるものは、文字に限られることなく、図形、記号等であっても構わない。また、第１係止孔６ａと第２係止孔６ｂとは、十字状以外にも、Ｔ字状、逆Ｔ字状、Ｌ字状あるいは逆Ｌ字状等で直交するように開けられていても構わない。さらに、これら第１係止孔６ａと第２係止孔６ｂとは、一方が縦方向に、他方が横方向に延びるよう開けられていればよく、例えば、図１５ないし図１７に示すように、第１係止孔６ａと第２係止孔６ｂとは、互いに交わることなく、離れて設けられていても構わない。すなわち、この場合における係止部８には、表示部３の表裏方向に貫通してほぼ矩径状に開口する、２つの係止孔部６、６が設けられ、これら係止孔部６、６は、互いに上下に離れて位置している。そして、上方に位置する係止孔部６には、その左右両側から内側に向かって突き出る爪部９、９が設けられ、これら爪部９、９間に形成される空間部は、係止部８の表側から裏側に行くに従って次第に巾狭となり、その裏側における爪部９、９の縁部間の、上下に延びてなる間隙にて、表示部３の表裏方向に貫通するスリット状に形成された、第２係止孔６ｂを備えている。一方、下方に位置する係止孔部６には、その上下端部から内側に向かって突き出る爪部９、９が設けられ、これら爪部９、９間に形成される空間部は、係止部８の表側から裏側に行くに従って次第に巾狭となり、その裏側における爪部９、９の縁部間の、左右に延びてなる間隙にて、表示部３の表裏方向に貫通するスリット状に形成された、第１係止孔６ａを備えている。これにより、取付紐４の巻き付け方向が一の方向で維持されるとき、取付紐４は、横方向に延びるよう開けられた、第１係止孔６ａに挿通されて係止され、取付紐４の巻き付け方向が他の方向に変えられるとき、取付紐４は、縦方向に延びるよう開けられた、第２係止孔６ｂに挿通されて係止される。そして、前記爪部９、９は、取付紐４の巾方向に沿った全体と当接することができるため、取付紐４の一層確実な係止が図られる。なお、この実施の形態において、被表示体としてのケーブルに巻き付けられた取付紐４は、その先端から前記係止孔部６に、表示部の表側から裏側へと挿通されて係止されることとなる。
【００３０】
また、前記係止孔部６は、必ずしも、前記係止部８とか前記延出部１６に備わっている必要はない。例えば、図１８に示す、第三の実施の形態のように、表示札１ｂが備える係止孔部６は、やや縦長に形成された表示部３としての表示プレートの表裏方向に貫通し、かつ、開口する一つの係止孔からなり、この係止孔部６の左右両側方に、連結片７、７がつながる連結部１７、１７を備え、これら連結部１７、１７は、表示部３の左右両側部の各々に、好ましくは、係止孔部６が設けられている高さ位置近辺に備わっている。具体的には、連結片７、７は、その一方側が、表示部３の左右両側部の上部側の各々に備わる連結部１７、１７とつながるとともに、その他方側が、外側にそれぞれ円弧状に膨らみつつ上方に延びて、やや大きめにリング状を形成するようにして、前記取付紐４の基端につながっている。このような構成からなる表示札１ｂは、前記係止孔部６の左右両側方に、連結部１７、１７を備えている点で、前記第一の実施の形態の表示札１と共通する。よって、表示札１ｂは、表示部３の左右両側部に備わる連結部１７、１７とつながっている連結片７、７のうちの、いずれか一方の連結片７が、取付紐４と表示部３との連結を断つことにより、前記表示部３の表示向きを変えることなく、前記取付紐４の巻き付け方向を他の方向に変えることができ、第一の実施の形態の表示札１とほぼ同様の作用効果を発揮することができる。また、表示札１ｂは、その形状、構造がより単純化されているので、コスト低廉化が期待できる。この実施の形態においても、取付紐４が細巾の帯状に形成され、また、係止孔部６が、スリット状に貫通形成された第１係止孔と第２係止孔とを備え、これら第１係止孔と第２係止孔とが、一方が縦方向に、他方が横方向に延びるよう開けられていてもよい。
【００３１】
【発明の効果】
以上、詳述したところから明らかなように、この発明に係る表示札によれば、次の効果がある。
【００３２】
請求項１および２に記載された表示札によれば、被表示体の配置方向および表示部に表示される文字、図形等の表示の仕方に応じて、被表示体に対する取付紐の巻き付け方向を、一の方向で維持するか、あるいは、表示部の表示向きを変えることなく、他の方向に変えるか選択できるので、被表示体の配置方向とか表示の仕方にかかわりなく、表示が正しい向きとなり得るように、被表示体に取り付けることができる。
【００３３】
【００３４】
【００３５】
請求項３に記載された表示札によれば、加えて、取付紐の巻き付け方向が維持される一の方向、もしくは、その維持状態が解除された他の方向のいずれの方向に選択されても、その取付紐は、第１係止孔または第２係止孔のいずれかに確実に係止されることができる。
【００３６】
請求項４に記載された表示札によれば、加えて、被表示体に対して強い締め付け力で巻き付けて、しっかりと取り付け固定することができる。
【図面の簡単な説明】
【図１】  この発明に係る表示札の第一の実施の形態を示す、正面図である。
【図２】  同じく、側面図である。
【図３】  同じく、取付紐を一部省略した背面図である。
【図４】  同じく、図３におけるＡ−Ａ断面図である。
【図５】  同じく、係止孔部および連結部材の拡大正面図である。
【図６】  同じく、図５におけるＢ−Ｂ断面図である。
【図７】  同じく、係止孔部および連結部材の拡大背面図である。
【図８】  同じく、１つの連結片が、取付紐と表示部との連結を断った状態の、図５相当図である。
【図９】  同じく、表示札を被表示体としてのケーブルに取り付けた一態様を示す斜視図である。
【図１０】  同じく、表示札を被表示体としてのケーブルに取り付けた他の態様を示す斜視図である。
【図１１】  同じく、表示札を被表示体としてのケーブルに取り付けた更なる他の態様を示す斜視図である。
【図１２】  同じく、表示札を被表示体としてのケーブルに取り付けた更なる他の態様を示す斜視図である。
【図１３】  同じく、取付紐が係止孔部に係止される状態を示す要部拡大断面図である。
【図１４】  この発明に係る表示札の第二の実施の形態を示す正面図である。
【図１５】  この発明に係る表示札の他の実施の形態を示す、要部拡大正面図である。
【図１６】  同じく、要部拡大背面図である。
【図１７】  同じく、図１５におけるＣ−Ｃ断面図である。
【図１８】  この発明に係る表示札の第三の実施の形態を示す正面図である。
【図１９】  従来の表示札を示す正面図である。
【符号の説明】
１、１ａ、１ｂ  表示札          ２  被表示体
３  表示部                      ４  取付紐
５  連結部材                    ６  係止孔部
６ａ  第１係止孔                ６ｂ  第２係止孔
７  連結片                      ８  係止部
１７  連結部
【図１】
0003780199.tif 000002
【図２】
0003780199.tif 000003
【図３】
0003780199.tif 000004
【図４】
0003780199.tif 000005
【図５】
0003780199.tif 000006
【図６】
0003780199.tif 000007
【図７】
0003780199.tif 000008
【図８】
0003780199.tif 000009
【図９】
0003780199.tif 000010
【図１０】
0003780199.tif 000011
【図１１】
0003780199.tif 000012
【図１２】
0003780199.tif 000013
【図１３】
0003780199.tif 000014
【図１４】
0003780199.tif 000015
【図１５】
0003780199.tif 000016
【図１６】
0003780199.tif 000017
【図１７】
0003780199.tif 000018
【図１８】
0003780199.tif 000019
【図１９】
0003780199.tif 000020